(57)【要約】【課題】  本発明は掃除機本体から集塵ユニットを装着および分離することが容易になった真空掃除機を提供する。【解決手段】  本発明に係る真空掃除機は、掃除機本体に設けられた装着部に着脱自在に設けられ、流入された外部空気からゴミを分離し取手部の備えられた集塵ユニット、装着部に取り付けられた集塵ユニットを掃除機本体に分離自在に固定させるロッキングユニットを備える真空掃除機であって、ロッキングユニットは、掃除機本体に形成された結合溝と結合される結合位置と、結合溝との結合が解除される解除位置との間を移動する係止部材と、押すことができるよう集塵ユニットの外面に設けられるボタン部材と、を含み、ユーザが集塵ユニットの取手部を把持するとき、ボタン部材を押して係止部材が結合位置から解除位置に移動されることによって、集塵ユニットが掃除機本体からロッキング解除される。【選択図】      図１
2007117710.tif 000002
【特許請求の範囲】
【請求項１】
掃除機本体に設けられた装着部に着脱自在に設けられ、流入された外部空気からゴミを分離し取手部の備えられた集塵ユニット、前記装着部に取り付けられた前記集塵ユニットを前記掃除機本体に分離自在に固定させるロッキングユニットを備える真空掃除機であって、
前記ロッキングユニットは、
前記掃除機本体に形成された結合溝と結合される結合位置と、前記結合溝との結合が解除される解除位置との間を移動する係止部材と、
押すことができるよう集塵ユニットの外面に設けられるボタン部材と、を含み、
ユーザが前記集塵ユニットの取手部を把持するとき、前記ボタン部材を押して前記係止部材が結合位置から解除位置に移動されることによって、前記集塵ユニットが前記掃除機本体からロッキング解除されることを特徴とする真空掃除機。
【請求項２】
前記ロッキングユニットは、前記係止部材と共に動く解除部材と、該解除部材と前記ボタン部材を連動させる連動部材とを更に含むことを特徴とする請求項１に記載の真空掃除機。
【請求項３】
前記連動部材は前記ボタン部材の回転運動を直線運動に変換させ前記解除部材に伝達することを特徴とする請求項２に記載の真空掃除機。
【請求項４】
前記連動部材、前記係止部材、及び前記解除部材は一体に形成されることを特徴とする請求項３に記載の真空掃除機。
【請求項５】
前記ボタン部材は一面から突出された隔板を含み、前記ボタン部材が回転するとき前記隔板が前記連動部材を加圧することを特徴とする請求項３に記載の真空掃除機。
【請求項６】
前記ボタン部材と前記取手部は前記集塵ユニットのカバー部に互い対向して設けられ、前記ボタン部材は前記カバー部にヒンジ結合することを特徴とする請求項１ないし５のいずれかに記載の真空掃除機。
【請求項７】
前記ロッキングユニットは、ユーザが把持していた取手部から手を除去する場合、前記ボタン部材を元の状態に復帰させるバネを更に含むことを特徴とする請求項１ないし５のいずれかに記載の真空掃除機。
【請求項８】
前記集塵ユニットは、
外部空気を吸入し遠心力によりゴミを分離し、ゴミ収容の可能な集塵部と、前記集塵部を覆うよう上部に設けられるカバー部を含み、
前記カバー部の上面には前記ボタン部材が設けられ、内部には前記解除部材が設けられ、
前記解除部材の両側端に前記係止部材が一体に連結されていることを特徴とする請求項１ないし５のいずれかに記載の真空掃除機。
【請求項９】
前記カバー部内にはユーザの指を挿入することのできる把持溝が形成され、ユーザが前記把持溝に指を挿入するとき、前記ボタン部材が押され前記真空掃除機に対する前記集塵ユニットのロッキングが解除されることを特徴とする請求項８に記載の真空掃除機。
【請求項１０】
取手部を備え真空掃除機本体にロッキングおよび解除される集塵ユニット、前記真空掃除機本体に設けられ吸入力を発生させる真空源を含む真空掃除機において、
前記取手部を把持するとき、前記真空掃除機本体に対する前記集塵ユニットのロッキングが解除され、前記取手部から手を除去するとき前記真空掃除機本体に前記集塵ユニットがロッキングされることを特徴とする真空掃除機。
【請求項１１】
前記集塵ユニットはロッキングユニットを備え、
前記ロッキングユニットは、回転運動するボタン部材と、該ボタン部材の回転運動の影響で直線運動を行う少なくとも１つの係止部材を含むことを特徴とする請求項１０に記載の真空掃除機。
【請求項１２】
前記ロッキングユニットは、前記ボタン部材の回転運動を直線運動に変換させる連動部材を更に含むことを特徴とする請求項１１に記載の真空掃除機。
【発明の詳細な説明】
【技術分野】
【０００１】
本発明は、被掃除面を掃除する真空掃除機に関し、詳細には集塵ユニットと掃除機本体が分離自在な真空掃除機について、集塵ユニットを掃除機本体に付着し選択的に分離できるロッキングユニットが備えられた真空掃除機に関する。
【背景技術】
【０００２】
一般に、真空掃除機は、本体内に設けられる真空モータにより形成される真空圧を用いてゴミの含まれた空気を吸入した後、本体内でゴミを分離しそのゴミを集めて捨てることのできる装置のことである。係る真空掃除機は、ゴミ分離のためサイクロン方式を採択し、係る集塵ユニットは掃除機本体から分離自在に設けられる。このような真空掃除機は特許文献１に開示されており、集塵ユニットの上部には取手部が外部に露出されるよう形成され、掃除機本体と集塵ユニットには互いに結合すべく着脱装置が設けられている。この真空掃除機は、ユーザが一手を使って上部に設けられている取手部に形成された溝に把持し、他の手では本体に設けられたボタンを押すことによって集塵ユニットと掃除機本体とが分離され、この分離状態で把持された集塵ユニットを持上げることによって集塵ユニットと掃除機本体との分離過程が完了される。
【０００３】
しかしながら、従来技術の真空掃除機は、一手で結合装置の解除部材を押しながら他の手では集塵ユニットを持上げなければならないので、ユーザがいつも両手を使用しなければならず、ユーザが真空掃除機本体から集塵ユニットを分離しづらい不具合がある。
【特許文献１】大韓民国公開特許第２００５−１３６９３号公報
【発明の開示】
【発明が解決しようとする課題】
【０００４】
本発明は前述した問題点を解決するために案出されたもので、本発明の目的は、掃除機本体から集塵ユニットを一手で装着及びは分離をすることができ、ユーザの便宜性が向上された真空掃除機を提供することにある。
【課題を解決するための手段】
【０００５】
前述の目的を達成するための本発明に係る真空掃除機は、掃除機本体に設けられた装着部に着脱自在に設けられ、流入された外部空気からゴミを分離し取手部の備えられた集塵ユニット、前記装着部に取り付けられた前記集塵ユニットを前記掃除機本体に分離自在に固定させるロッキングユニットを備える真空掃除機であって、前記ロッキングユニットは、前記掃除機本体に形成された結合溝と結合される結合位置と、前記結合溝との結合が解除される解除位置との間を移動する係止部材と、押すことができるよう集塵ユニットの外面に設けられるボタン部材と、を含み、ユーザが前記集塵ユニットの取手部を把持するとき、前記ボタン部材を押して前記係止部材が結合位置から解除位置に移動されることによって、前記集塵ユニットが前記掃除機本体からロッキング解除される。
【０００６】
また、前記ロッキングユニットは、前記係止部材と共に動く解除部材と、該解除部材と前記ボタン部材を連動させる連動部材とを更に含むことができる。
【０００７】
ここで、前記連動部材は、前記ボタン部材の回転運動を直線運動に変換させ前記解除部材に伝達することが好ましく、前記連動部材、前記係止部材、及び前記解除部材は一体に形成されることがよい。
【０００８】
また、前記ボタン部材は一面から突出された隔板を含み、前記ボタン部材が回転するとき前記隔板が前記連動部材を加圧するよう構成することができる。
【０００９】
また、前記ボタン部材と前記取手部は前記集塵ユニットのカバー部に互い対向して設けられ、前記ボタン部材は前記カバー部にヒンジ結合することが好ましい。
【００１０】
また、前記ロッキングユニットは、ユーザが把持していた取手部から手を除去する場合、前記ボタン部材を元の状態に復帰させるバネを更に含むことが好ましい。
【００１１】
また、前記集塵ユニットは、外部空気を吸入し遠心力によりゴミを分離し、ゴミ収容の可能な集塵部と、前記サイクロンを覆うよう上部に設けられるカバー部を含み、前記カバー部の上面には前記ボタン部材が設けられ、内部には前記解除部材が設けられ、前記解除部材の両側端に前記係止部材が一体に連結されることが好ましい。
【００１２】
また、前記カバー部内にはユーザの指を挿入することのできる把持溝が形成され、ユーザが前記把持溝に指を挿入するとき、前記ボタン部材が押され前記真空掃除機に対する前記集塵ユニットのロッキングが解除されることが好ましい。
【００１３】
本発明の目的は、取手部を備え真空掃除機本体にロッキングおよび解除される集塵ユニット、前記真空掃除機本体に設けられ吸入力を発生させる真空源を含む真空掃除機において、前記取手部を把持するとき、前記真空掃除機本体に対する前記集塵ユニットのロッキングが解除され、前記取手部から手を除去するとき前記真空掃除機本体に前記集塵ユニットがロッキングされる真空掃除機によって達成される。
【００１４】
ここで、前記集塵ユニットはロッキングユニットを備え、前記ロッキングユニットは、回転運動するボタン部材と、該ボタン部材の回転運動の影響で直線運動を行う少なくとも１つの係止部材を含むことが好ましい。
【００１５】
また、前記ロッキングユニットは、前記ボタン部材の回転運動を直線運動に変換させる連動部材を更に含むことが好ましい。
【発明の効果】
【００１６】
本発明によると、真空掃除機はカバー部に備えられたボタン部材が押される時、集塵ユニットを持上げることのできる把持溝が形成され、それと同時に集塵ユニットと掃除機本体とが分離されることにより一手だけを用いて掃除機本体から集塵ユニットを分離することが可能になる。
【００１７】
また、通常は把持溝が形成されず選択的に把持溝が形成されていることから、綺麗な外観の集塵ユニットが提供できる。
【発明を実施するための最良の形態】
【００１８】
以下、添付の図面に基づいて本発明の好適な実施形態を詳述する。
【実施例】
【００１９】
図１は本発明の実施形態に係る真空掃除機につき、集塵ユニットと真空掃除機本体とに分離し図示した斜視図であり、図２は図１に図示された集塵ユニットから分離されたカバー部の底面を示した底面図であり、図３は図２のＩＩＩ−ＩＩＩ線に沿って切断した側面図である。
【００２０】
図１ないし図３に示したように、真空掃除機は、掃除機本体１０、集塵ユニット４０、ロッキングユニット６０を含んでいる。
【００２１】
掃除機本体１０は、外気を吸入するための吸入源（図示せず）が後方に内臓され、掃除機本体１０後方の両側には掃除機本体１０が移動できるよう輪１４が設けられている。掃除機本体１０は前方および上部がオープンされ、後述する集塵ユニット４０の取り付けられた装着部１５が形成される。集塵ユニット４０は装着部１５に着脱自在に設けられる。このため、装着部１５の両側の上部には集塵ユニット４０に設けられた係止部材２１と互いに結合または分離できるよう結合溝１１とが形成されている。掃除機本体１０の前方下部には集塵ユニット４０の突起２５と結合できるよう矩形のガイド溝１３が形成されている。このガイド溝１３は、集塵ユニット４０を掃除機本体１０に取り付ける際にして集塵ユニット４０が掃除機本体１０に正確装着するようガイドする役割を果し、掃除中あるいは移動中に掃除機本体から集塵ユニット４０が抜けたり揺れないよう堅固に装着部に固定させる。
【００２２】
集塵ユニット４０は掃除機本体１０に連結され、外気を吸入し遠心力を用いて外部空気からゴミを分離・収容し、集塵部３０とカバー部２０を含んでなる。
【００２３】
集塵部３０内には遠心力を用いて外気からゴミを分離するためのサイクロン（図示せず）と、サイクロンで分離されたゴミが収容されるゴミ筒（図示せず）とが形成される。本実施の形態ではサイクロン集塵部を例挙げて説明するが、サイクロン集塵部でない他の構造を有する集塵ユニットも使用可能であることは言うまでもない。集塵部３０の下部には、掃除機本体１０に形成されたガイド溝１３と結合される突起２５が形成されている。
【００２４】
カバー部２０は、集塵部３０の上部を覆うよう集塵部３０の上部に取り付けられる。カバー部２０の上面には取手部２０ａ、ロッキングユニット６０のボタン部材２２が設けられる。取手部２０ａはカバー部２０に固定され、ボタン部材２２は、図５に示したように、ユーザがボタン部材２２を押すことにより取手部２０ａが把持できるよう、取手部２０ａと向かい合うよう設けられており、ヒンジ２９を中心にして回転できるよう設けられている。カバー部２０にはロッキングユニット６０が設けられる。
【００２５】
ロッキングユニット６０は、図１ないし図３を参照すれば、ボタン部材２２、解除部材２６、隔板２３、係止部材２１、連動部材２４、バネ２８を有する。ボタン部材２２はカバー部２０の上面に、残り構成要素２６，２２，２３，２１，２４，２８はカバー部２０の底面２０−２に設けられる。
【００２６】
ボタン部材２２は一定角度で回転するために、両側にはボタン部材２２がカバー部２０に対して回転できるようヒンジ２９が設けられる。ボタン部材２２は、取手部２０ａと共にカバー部２０と集塵部３０との間に形成される把持溝２７を密閉する役割をする。ユーザが取手部２０ａの把持のため把持溝へ手を入れるためには、ボタン部材２２の一方を押すことでボタン部材２２を回転させ把持溝２７を開放しなければならない（図５参照）。
【００２７】
解除部材２６はカバー部２０の底面に図４のＦ１およびＦ２方向へ移動可能に設けられ、ボタン部材２２と一定の間隔離隔されている。解除部材２６の両側には係止部材２１がそれぞれ一体に設けられているが、係止部材２１を解除部材２６から着脱できるよう設けることができる。従って、解除部材２６が図４のＦ１およびＦ２方向に移動すると、係止部材２１も解除部材２６と同じ方向に移動される。解除部材２６はカバー部２０の底面２０−２に設けられるので外部からは見えない。解除部材２６の両側には長孔５１が形成され、解除部材２６に形成された長孔５１にスクリュー５０を挿入し解除部材２４とカバー部２０を半拘束状態に固定する。
【００２８】
隔板２３は、ボタン部材２２の底面２０−２の両側で下向き突出されている。従って、ボタン部材２２がヒンジ２９を中心に回転されれば隔板２３も回転し、連動部材２４を加圧する。また、隔板２３はボタン部材２２の回転運動の際に外力による強度を向上させるため逆Ｔ状に形成され、ボタン部材２２と一体に形成されることができる。
【００２９】
係止部材２１は下部にフック部２１ａを備え、解除部材２６の両端にて下向き突出されている。係止部材２１は解除部材２６と一体に形成され、且つ一体に動く。集塵ユニット４０を取り付けるとき係止部材２１は掃除機本体１０に形成された結合溝１１に挿入され、下部に形成されたフック部２１ａが結合溝１１の逆コ状の空間にロッキングされる。集塵ユニット４０を掃除機本体１０から除去する時には、図３のＦ１方向に移動されロッキングが解除される。
【００３０】
連動部材２４は、図２および図３に示すように、カバー部２０内に隔板２３と解除部材２６との間に設けられ、本実施の形態では解除部材２６と一体に形成されている。ボタン部材２２が回転すれば、隔板２３が回転し連動部材２４の一方を加圧し、連動部材２４は解除部ザ２６をＦ１方向に遊動させる。
【００３１】
バネ２８は、図２に示すように、カバー部２０の底面において、一方は解除部材２６を加圧し、他方はカバー部２０の底面２０−２の一方に固定されている。ボタン部材２２にＦ４方向に向う力が加えられれば、解除部材２６が図３のＦ１方向に遊動すると圧縮され、Ｆ４方向の力が解除されればバネ２８の加圧力によって解除部材は元の位置に復帰され、これと連動されたボタン部材２２も元の位置に復帰される。
【００３２】
ユーザが集塵ユニット４０の把持のために取手部２０ａを把持しながらボタン部材２２の側端を押すと、ボタン部材２２はＦ４方向の一定角度で回転し、ボタン部材２２に突設された隔板２３が連動部材２４を後方に一定距離（Ｗ）だけ移動させる。連動部材２４が移動されれば、解除部材２６と連結された係止部材２１が解除位置（Ｐ２）に移動される。これは係止部材２１が掃除機本体１０に形成された結合溝１１と結合された状態で、その結合が解除される位置へ移動される。このとき係止部材２１に形成されたフック部２１ａは、掃除機本体１０に形成された結合溝１１と結合できるよう（Ｗ）だけの長さで形成することが好ましい。前述したようなロッキングユニット６０の作用により、掃除機本体１０から集塵ユニット４０が分離できる。なお、ボタン部材２２の回転により解除部材２４は直線運動を行う。これはカバー部２０とスクリュー５０により半拘束状態で固定された解除部材２４が解除部材２４に形成された長孔５１に沿って移動するからである。
【００３３】
一方、集塵ユニット４０を掃除機本体１０から分離するよう結合を解除するためにボタン部材２２を押す場合、集塵ユニット４０の外部に露出されるようカバー部２０とボタン部材２２との間には把持溝２７が形成される。形成された把持溝２７に手を挿入し集塵ユニット４０を持上げることができる。このとき、把持溝２７はユーザと近接した箇所に形成されることが好ましい。
【００３４】
一方、前述のような掃除機本体１０から集塵ユニット４０を解除するためにボタン部材２２を押した状態でボタン部材２２の押し状態が除去された場合、ボタン部材２２が元の状態に復帰すべく解除部材２６の一方とカバー部２０の後方側にバネ２８が設けられる。言い換えれば、ボタン部材２２を押す場合、解除部材２６が後方に移動することによりバネが圧縮される。またボタン部材２２に外力が除去される場合、圧縮されたバネが弾性力により元の状態に復帰しようとする性質によりボタン部材２２が元状態に復帰し、係止部材２１が結合位置（Ｐ１）に移動されて、掃除機本体１０と集塵ユニット４０とが結合される。
【００３５】
図１ないし図５に示したように、本発明の一実施の形態に係る集塵ユニット４０が真空掃除機本体１０から装着あるいは分離される動作について詳説する。
【００３６】
ユーザが集塵ユニット４０を掃除機本体１０に装着する場合、ユーザはボタン部材２２を押すと同時に、それによって形成される把持溝２７に手を挿入して集塵ユニット４０を把持し、Ｆ方向に向って掃除機本体に形成された装着部１５に挿入させる。一方、掃除機本体１０に集塵ユニット４０を正確にガイドするためには掃除機本体１０に形成されたガイド溝１３に互い対応するよう突起２５を合わせる。
【００３７】
前述した動作過程を詳説すると、ユーザがボタン部材２２を押すと、ボタン部材２２と一体に形成された隔板２３がヒンジ２９を中心にしてＦ４の一定角度で回転し、それと接触された解除部材２６がＦ１の方向に移動される。なお、長孔５１に挿入されたスクリュー５０によって掃除機本体１０と結合された解除部材２６は長孔５１に沿って直線にＦ１方向へ移動される。これによって、解除部材２７の両終端に固定された係止部材２１もＦ１方向に向って移動される。
【００３８】
このようにユーザがボタン部材２２を押せば係止部材２１が解除位置Ｐ２に移動し、ボタン部材２２が押された状態でユーザは掃除機本体１０に集塵ユニット４０を挿入した後、ボタン部材２２に加えられる外力を除去すれば、圧縮されていたバネ２８の弾性力により解除部材２６が結合位置Ｐ１に向って移動し、これによって解除部材２６に設けられた係止部材２１も結合位置Ｐ１に移動される。また、解除部材２６に突出形成された遊動部材２４がＦ１方向に移動し、遊動部材２４はそれと接触された隔板２３をＦ１方向に押すことによりボタン部材２２が元の位置に復帰されることとなる。
【００３９】
ユーザが集塵ユニット４０を掃除機本体１０から分離する場合も、前述したような過程を逆に行うことによって集塵ユニット４０の分離が可能となる。
【００４０】
この場合、本発明に係る真空掃除機はユーザが一手を用いて集塵ユニットを把持することと同時に集塵ユニット４０は掃除機本体１０から装着・分離自在になることによって、既存に使用していた集塵ユニット着脱装置に比べてもっと容易に集塵ユニット４０を掃除機本体１０から装着または分離することができる。
【００４１】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００４２】
【図１】本発明の実施形態に係る真空掃除機の斜視図である。
【図２】図１に図示された真空掃除機にてユーザが集塵ユニットの取手部を把持しない状態であって、集塵ユニットのボタン部材が押される前の状態の集塵ユニットカバーを示す底面図である。
【図３】図２のＩＩＩ−ＩＩＩ線に沿って示す断面図である。
【図４】図１に図示された真空掃除機にてユーザが集塵ユニットの取手部を把持した状態であって、集塵ユニットのボタン部材が押された状態の集塵ユニットカバーを示す底面図である。
【図５】図４のＶ−Ｖ線に沿って示す断面図である。
【符号の説明】
【００４３】
１０      掃除機本体
１１      結合溝
１３      ガイド溝
１５      装着部
２０      カバー部
２１      係止部材
２２      ボタン部材
２３      隔板
２４      遊動部材
２５      突起
２６      解除部材
２８      バネ
２９      ヒンジ
３０      集塵部
４０      集塵ユニット
６０      ロッキングユニット
【図１】
2007117710.tif 000003
【図２】
2007117710.tif 000004
【図３】
2007117710.tif 000005
【図４】
2007117710.tif 000006
【図５】
2007117710.tif 000007